(57)【要約】  人工膵臓のようなインスリン送達システムのための可視化及び解析ツールが提供される。インスリンは、システムアルゴリズムに基づいて、インスリン送達をベースライン送達速度、例えば、予め設定された基礎レートに対して調節するために患者が制御可能であるポンプ、及びグルコースレベルを測定するためのセンサを使用して送達される。ツールは、システムによって送達された実際のインスリンとベースライン送達速度との間の差異に基づいている事象を検出及び記録するための、システムのコントローラを備えて構成される。これらの検出された事象はメトリックであり、メトリックは、かかるメトリックなしでは見落とされる又は気付かれない場合があるシステムの治療効果に関する情報を提供し、それによって、送達システムに対する信頼と確実性を高める。加えて、更に改善されたグルコース制御を可能にすることができる情報が提供される。【選択図】図１
2019509085.tif 000002
【特許請求の範囲】
【請求項１】
インスリン送達システムであって、
インスリン送達をベースライン送達速度に対して調節するように制御可能なポンプと、
患者のグルコースレベルを測定するためのセンサと、
前記ポンプ及び前記センサに連結されたコントローラであって、前記ポンプ及び前記センサからの測定信号を利用する自律的調節アルゴリズムに基づいてインスリン送達を算出するように構成された、コントローラと、
前記コントローラと係合可能な可視化及び解析ツールであって、少なくとも１つの活動事象の検出及び表示を可能にする、可視化及び解析ツールと、を含み、前記コントローラは、スケジュールされたインスリン送達を前記システムによるインスリンの実際の送達と比較し、前記スケジュールされたインスリン及び前記送達されたインスリンの両方の周期的なサンプル平均化に基づいて前記少なくとも１つの活動事象の存在を決定する、インスリン送達システム。
【請求項２】
前記コントローラが、ある期間にわたる前記システムによって行われたインスリン送達及びスケジュールされた基礎レートの逐次平均化を実施するように構成されており、前記少なくとも１つの活動事象の前記検出は、システムによって送達されたインスリンの量の、対応するスケジュールされた量に対する比が、治療的に妥当な比よりも小さいか又は大きいかに基づいている、請求項１に記載の送達システム。
【請求項３】
前記少なくとも１つの活動事象は、システムによって送達されたインスリンの、対応するスケジュールされた量に対する比が、治療的に妥当な比より小さいときの低血糖活動事象、又はシステムによって送達されたインスリンの量の比が治療的に妥当な比より大きいときの高血糖活動事象のいずれかとして指定される、請求項２に記載の送達システム。
【請求項４】
前記可視化及び解析ツールが、長期間にわたってプロットを作成し、検出された活動事象の回数は、長期間にわたって時刻に基づいて表示される、請求項１に記載の送達システム。
【請求項５】
前記長期間が、１週間超である、請求項４に記載の送達システム。
【請求項６】
前記長期間が、２週間超である、請求項４に記載の送達システム。
【請求項７】
前記コントローラによる前記インスリンの送達が、モデル予測制御によって決定される、請求項１に記載の送達システム。
【請求項８】
前記長期間が、選択可能である、請求項４に記載の送達システム。
【請求項９】
システムデータは、前記ツールによって、少なくとも１つの表形式で表示される、請求項１に記載の送達システム。
【請求項１０】
前記少なくとも１つの活動事象は、前記センサによって検出された患者のグルコースレベルが依然として許容可能な目標範囲内にある間でも発生し得る、請求項１に記載の送達システム。
【請求項１１】
インスリン送達システムを改善するための方法であって、前記システムは、インスリン送達デバイスと、患者のグルコースレベルを測定するための少なくとも１つのセンサと、自律的調節に基づいて前記インスリン送達デバイスによってインスリンを送達するように構成されたコントローラと、を含み、前記方法が、
前記センサからのグルコースレベルデータ及びポンプからのインスリン送達データを可視化ツールに提供する工程と、
自律的調節送達アルゴリズに基づいて前記システムによって送達されたインスリンと所定の基礎レートとの間の所定の差異に基づいて、少なくとも１つの活動事象を検出及び表示する工程と、を含む、方法。
【請求項１２】
前記検出工程が、
所定の時刻に関して、予想されるインスリン送達を、インスリンの実際の送達と比較することを更に含む、請求項１１に記載の方法。
【請求項１３】
前記検出工程が、所定の時間的間隔にわたって前記システムによって行われたインスリン送達及び基礎レートの逐次平均化と、システムによって送達されたインスリンと所定の基礎レートとを比較した少なくとも２つの連続した平均が、所定の閾値を満たすことを決定することと、を更に含む、請求項１２に記載の方法。
【請求項１４】
前記活動事象が所定の期間にわたって存在することを示す、少なくとも１つのプロット又は表を表示する工程を含む、請求項１３に記載の方法。
【請求項１５】
前記所定の期間が長期間であり、前記方法が、検出された活動事象の回数を前記長期間にわたって時刻に基づいて詳細に示すグラフィカルプロットを作成及び表示する工程を更に含む、請求項１４に記載の方法。
【請求項１６】
前記長期間が、１週間超である、請求項１５に記載の方法。
【請求項１７】
前記長期間が、２週間超である、請求項１５に記載の方法。
【請求項１８】
前記少なくとも１つの検出及び表示された活動事象は、前記センサによって測定された患者のグルコースレベルが依然として許容可能な目標範囲内にある間でも発生し得る、請求項１４に記載の方法。
【請求項１９】
自律的調節が、モデル予測制御によって行われる、請求項１１に記載の方法。
【発明の詳細な説明】
【技術分野】
【０００１】
（関連出願の相互参照）
本出願は、米国特許法第１１９条の関連部分に基づき、２０１６年２月５日出願の米国特許出願第６２／２９１，７９２号に対する優先権を主張するものであり、その全ての内容が参照により本明細書に組み込まれる。
【０００２】
（発明の分野）
本発明は、概して、グルコース管理の分野に関し、より詳細には、インスリン送達調節アルゴリズムによって制御される、人工膵臓などのインスリンを送達するシステム、及びユーザーのグルコースの変化に対するシステム応答を検出する関連方法に関する。可視化ツールは、意味のあるデータ解析を可能にし、また治療決定を支持することによってインスリン治療を向上させるために使用することもできる。
【背景技術】
【０００３】
真性糖尿病は、膵臓が十分な量のホルモンインスリンを産生できないことに起因する慢性代謝異常である。この障害は、高血糖症、すなわち、血漿中に過剰量のグルコースが存在する原因となる。持続性高血糖は、様々な深刻な病状及び生命を脅かす長期合併症と関係付けられてきた。内因性インスリン産生の復元は未だ不可能であるため、血糖値を正常範囲内に維持するために一定の血糖管理を提供する維持療法が必要である。そのような血糖管理は、外的インスリンを患者の身体に定期的に供給することによって実現される。
【０００４】
自然発生的な生理学的プロセスと同様の方法で薬物を送達することができ、かつ、標準的な又は個別に修正されたプロトコルに従って、患者により良好な血糖管理をもたらすように制御され得る薬物送達デバイスの開発によって、血糖管理が大幅に改善されてきた。
【０００５】
薬物送達デバイスは、埋め込み可能なデバイスとして構成することができる。あるいは、カテーテル又はカニューレの経皮的挿入を介して患者に皮下注入するための注入セットを有する外部デバイスを使用してもよい。外部薬物送達デバイスは、一般的には衣類に装着され、又は、好ましくは、衣類の下又は内側に隠され、あるいは身体に装着され、一般には、デバイス若しくは別の遠隔制御デバイスに内蔵されたユーザーインターフェースによって制御される。
【０００６】
薬物送達デバイスによって好適な量のインスリンを送達するためには、患者が自身の血糖値を頻繁に定量する必要がある。この値が外部ポンプ又はコントローラに入力されて、デフォルト又は現在使用されているインスリン送達プロトコル（すなわち、投薬及びタイミング）への適切な変更が必要かどうかが決定される。血糖濃度の測定は、典型的には、酵素系の試験紙によって血液サンプルを受容し、酵素反応に基づいて血糖値を算出する、ハンドヘルド型電子計器などの間欠的測定デバイスによって実施される。
【０００７】
あるいは、持続グルコースモニタ（「continuous glucose monitor、ＣＧＭ」）を薬物送達デバイスと共に利用して、糖尿病患者に注入されるインスリンの閉ループ制御を可能にすることができる。注入されたインスリンの閉ループ制御を可能にするために、１つ又は２つ以上のアルゴリズムを使用するコントローラによって、ユーザーに送達される薬物が自律的に調節される。例えば、比例積分微分（「proportional-integral-derivative、ＰＩＤ」）コントローラを利用してもよく、代謝モデルの単純な規則に基づいて当該コントローラを調整することができる。
【０００８】
別の方法としては、ＰＩＤは典型的に、未来の変化を判定する際に過去の出力のみを取り込むのに対して、モデル予測コントローラ（「model predictive controller、ＭＰＣ」）は、ＭＰＣの出力を判定する際に、制御変化の近い未来の効果を積極的に考慮し、制約を受けることもあるため、ＭＰＣコントローラはＰＩＤよりもロバストであることが実証されている。制約は、解が限定された「スペース」内にあること、つまり課せられた送達限界内にあることが保証され、かつ、システムが到達した限界を超えるのを防止するように、ＭＰＣコントローラにおいて実装され得る。
【０００９】
ＭＰＣコントローラ、ＭＰＣ上の変動、及びグルコースとインスリンとの複雑な相互作用を表した数学的モデルの詳細は、以下の文献に示され、説明されている。
【００１０】
米国特許第７，０６０，０５９号；米国特許出願第２０１１／０３１３６８０号、同第２０１１／０２５７６２７号、及び同第２０１４／０１８０２４０号；国際公開第２０１２／０５１３４４号；Ｐｅｒｃｉｖａｌ  ｅｔ  ａｌ．，「Ｃｌｏｓｅｄ−Ｌｏｏｐ  Ｃｏｎｔｒｏｌ  ａｎｄ  Ａｄｖｉｓｏｒｙ  Ｍｏｄｅ  Ｅｖａｌｕａｔｉｏｎ  ｏｆ  ａｎ  Ａｒｔｉｆｉｃｉａｌ  Ｐａｎｃｒｅａｔｉｃ  β−Ｃｅｌｌ：Ｕｓｅ  ｏｆ  Ｐｒｏｐｏｒｔｉｏｎａｌ−Ｉｎｔｅｇｒａｌ−Ｄｅｒｉｖａｔｉｖｅ  Ｅｑｕｉｖａｌｅｎｔ  Ｍｏｄｅｌ−Ｂａｓｅｄ  Ｃｏｎｔｒｏｌｌｅｒｓ」，Ｊ．Ｄｉａｂｅｔｅｓ  Ｓｃｉ．Ｔｅｃｈｎ．，Ｖｏｌ．２，Ｉｓｓｕｅ  ４，Ｊｕｌｙ  ２００８；Ｐａｏｌａ  Ｓｏｒｕ  ｅｔ  ａｌ．，「ＭＰＣ  Ｂａｓｅｄ  Ａｒｔｉｆｉｃｉａｌ  Ｐａｎｃｒｅａｓ；Ｓｔｒａｔｅｇｉｅｓ  ｆｏｒ  Ｉｎｄｉｖｉｄｕａｌｉｚａｔｉｏｎ  ａｎｄ  Ｍｅａｌ  Ｃｏｍｐｅｎｓａｔｉｏｎ」，Ａｎｎｕａｌ  Ｒｅｖｉｅｗｓ  ｉｎ  Ｃｏｎｔｒｏｌ  ３６，ｐ．１１８〜１２８（２０１２）；Ｃｏｂｅｌｌｉ  ｅｔ  ａｌ．，「Ａｒｔｉｆｉｃｉａｌ  Ｐａｎｃｒｅａｓ：Ｐａｓｔ，Ｐｒｅｓｅｎｔ，Ｆｕｔｕｒｅ」  Ｄｉａｂｅｔｅｓ，Ｖｏｌ．６０，Ｎｏｖｅｍｂｅｒ  ２０１１；Ｍａｇｎｉ  ｅｔ  ａｌ．，「Ｒｕｎ−ｔｏ−Ｒｕｎ  Ｔｕｎｉｎｇ  ｏｆ  Ｍｏｄｅｌ  Ｐｒｅｄｉｃｔｉｖｅ  Ｃｏｎｔｒｏｌ  ｆｏｒ  Ｔｙｐｅ  １  Ｄｉａｂｅｔｅｓ  Ｓｕｂｊｅｃｔｓ：Ｉｎ  Ｓｉｌｉｃｏ  Ｔｒｉａｌ」Ｊ．Ｄｉａｂｅｔｅｓ  Ｓｃｉ．Ｔｅｃｈｎ．，Ｖｏｌ．３，Ｉｓｓｕｅ  ５，Ｓｅｐｔｅｍｂｅｒ  ２００９；Ｌｅｅ  ｅｔ  ａｌ．，「Ａ  Ｃｌｏｓｅｄ−Ｌｏｏｐ  Ａｒｔｉｆｉｃｉａｌ  Ｐａｎｃｒｅａｓ  Ｕｓｉｎｇ  Ｍｏｄｅｌ  Ｐｒｅｄｉｃｔｉｖｅ  Ｃｏｎｔｒｏｌ  ａｎｄ  ａ  Ｓｌｉｄｉｎｇ  Ｍｅａｌ  Ｓｉｚｅ  Ｅｓｔｉｍａｔｏｒ」，Ｊ．Ｄｉａｂｅｔｅｓ  Ｓｃｉ．Ｔｅｃｈｎ．，Ｖｏｌ．３，Ｉｓｓｕｅ  ５，Ｓｅｐｔｅｍｂｅｒ  ２００９；Ｌｅｅ  ｅｔ  ａｌ．，「Ａ  Ｃｌｏｓｅｄ−Ｌｏｏｐ  Ａｒｔｉｆｉｃｉａｌ  Ｐａｎｃｒｅａｓ  ｂａｓｅｄ  ｏｎ  ＭＰＣ：Ｈｕｍａｎ  Ｆｒｉｅｎｄｌｙ  Ｉｄｅｎｔｉｆｉｃａｔｉｏｎ  ａｎｄ  Ａｕｔｏｍａｔｉｃ  Ｍｅａｌ  Ｄｉｓｔｕｒｂａｎｃｅ  Ｒｅｊｅｃｔｉｏｎ」，Ｐｒｏｃｅｅｄｉｎｇｓ  ｏｆ  ｔｈｅ  １７ｔｈ  Ｗｏｒｌｄ  Ｃｏｎｇｒｅｓｓ，Ｔｈｅ  Ｉｎｔｅｒｎａｔｉｏｎａｌ  Ｆｅｄｅｒａｔｉｏｎ  ｏｆ  Ａｕｔｏｍａｔｉｃ  Ｃｏｎｔｒｏｌ，Ｓｅｏｕｌ  Ｋｏｒｅａ  Ｊｕｌ．６〜１１，２００８；Ｍａｇｎｉ  ｅｔ  ａｌ．，「Ｍｏｄｅｌ  Ｐｒｅｄｉｃｔｉｖｅ  Ｃｏｎｔｒｏｌ  ｏｆ  Ｔｙｐｅ  １  Ｄｉａｂｅｔｅｓ：Ａｎ  ｉｎ  Ｓｉｌｉｃｏ  Ｔｒｉａｌ」，Ｊ．Ｄｉａｂｅｔｅｓ  Ｓｃｉ．Ｔｅｃｈｎ．，Ｖｏｌ．１，Ｉｓｓｕｅ  ６，Ｎｏｖｅｍｂｅｒ  ２００７；Ｗａｎｇ  ｅｔ  ａｌ．，「Ａｕｔｏｍａｔｉｃ  Ｂｏｌｕｓ  ａｎｄ  Ａｄａｐｔｉｖｅ  Ｂａｓａｌ  Ａｌｇｏｒｉｔｈｍ  ｆｏｒ  ｔｈｅ  Ａｒｔｉｆｉｃｉａｌ  Ｐａｎｃｒｅａｔｉｃ  β−Ｃｅｌｌ」，Ｄｉａｂｅｔｅｓ  Ｔｅｃｈｎ．Ｔｈｅｒ．，Ｖｏｌ．１２，Ｎｏ．１１，２０１０；Ｐｅｒｃｉｖａｌ  ｅｔ  ａｌ．，「Ｃｌｏｓｅｄ−Ｌｏｏｐ  Ｃｏｎ��ｒｏｌ  ｏｆ  ａｎ  Ａｒｔｉｆｉｃｉａｌ  Ｐａｎｃｒｅａｔｉｃ  β−Ｃｅｌｌ  Ｕｓｉｎｇ  Ｍｕｌｔｉ−Ｐａｒａｍｅｔｒｉｃ  Ｍｏｄｅｌ  Ｐｒｅｄｉｃｔｉｖｅ  Ｃｏｎｔｒｏｌ」Ｄｉａｂｅｔｅｓ  Ｒｅｓｅａｒｃｈ  ２００８；Ｋｏｖａｔｃｈｅｖ  ｅｔ  ａｌ．，「Ｃｏｎｔｒｏｌ  ｔｏ  Ｒａｎｇｅ  ｆｏｒ  Ｄｉａｂｅｔｅｓ：Ｆｕｎｃｔｉｏｎａｌｉｔｙ  ａｎｄ  Ｍｏｄｕｌａｒ  Ａｒｃｈｉｔｅｃｔｕｒｅ」，Ｊ．Ｄｉａｂｅｔｅｓ  Ｓｃｉ．Ｔｅｃｈｎ．，Ｖｏｌ．３，Ｉｓｓｕｅ  ５，Ｓｅｐｔｅｍｂｅｒ  ２００９；及びＡｔｌａｓ  ｅｔ  ａｌ．，「ＭＤ−Ｌｏｇｉｃ  Ａｒｔｉｆｉｃｉａｌ  Ｐａｎｃｒｅａｓ  Ｓｙｓｔｅｍ」，Ｄｉａｂｅｔｅｓ  Ｃａｒｅ，Ｖｏｌ．３３，Ｎｏ．５，Ｍａｙ  ２０１０。本出願において引用される全ての記事又は文献は、その全体が本明細書においてあたかも記載されているかのように、参照により組み込まれる。
【００１１】
糖尿病治療における自律的投与、人工膵臓（「artificial pancreas、ＡＰ」）型デバイスの出現は、必然的に、従来の非ＡＰインスリンポンプよりもはるかに豊富で複雑なデータを生成する。この追加された複雑さは、特に、そのようなデータの解釈を支援する適切なツールがなく、ＡＰ投与パラダイムの完全な値が失われ得る場合に、デバイスのユーザー、並びに介護者及び医療従事者（「health care practitioner、ＨＣＰ」）に負担となる可能性がある。
【図面の簡単な説明】
【００１２】
添付の図面は、本発明の現時点で好ましい実施形態を例解したものであって、上に述べた一般的説明及び以下に述べる詳細な説明と共に、本発明の特徴を説明する役割を果たすものである。
【図１】糖尿病管理システムの態様を示す。
【図２】糖尿病管理システムの選択された実施形態を略図形式で示す。
【図３】ＣＧＭ及び連携するインスリン送達履歴を所定の期間に及ぶ時刻に対して示す、可視化及び解析ツールから抜粋したグラフィカルプロットを示す。
【図４】図３に示された期間と異なる所定の期間に及ぶＣＧＭ及び連携するインスリン送達履歴を示す、可視化及び解析ツールから抜粋したグラフィカルプロットを示す。
【図５】長期間（７日間）にわたるＣＧＭ及び連携するインスリン送達履歴を示す、可視化及び解析ツールから抜粋したグラフィカルプロットを示し、関連するメトリック（ＡＰＡＥ）が際立った様式で表示されている。
【図６】具体的なメトリック（すなわち、低血糖ＡＰＡＥ）の、可視化及び解析ツールを使用したグラフィカル表示である。
【図７】別の具体的なメトリック（すなわち、高血糖ＡＰＡＥ）の、可視化及び解析ツールを使用したグラフィカル表示である。
【図８】インスリン送達がＣＧＭデータと連携している、２４時間周期の可視化及び解析ツールを使用したグラフィカル表示である。
【図９】図８の２４時間プロットの可視化及び解析ツールを使用したグラフィカル表示であり、範囲の変動幅を上回る及び範囲の変動幅を下回ることに関する統計がそれぞれ表示されている。
【図１０】図８の２４時間プロットの可視化及び解析ツールを使用したグラフィカル表示であり、範囲の変動幅を上回る及び範囲の変動幅を下回ることに関する統計がそれぞれ表示されている。
【図１１】炭水化物摂取に関する統計を含む、図８〜図１０の２４時間周期のプロットの可視化及び解析ツールを使用したグラフィカル表示である。
【図１２】低血糖ＡＰＡＥ及び高血糖ＡＰＡＥが存在するか否かに基づいて強調表示及び色分けされているＡＰＡＥを示す、図８の２４時間周期のプロットの可視化及び解析ツールを使用したグラフィカル表示である。
【図１３】強調表示された高血糖ＡＰＡＥ事象及び低血糖ＡＰＡＥ事象に関する統計がそれぞれ表示されている、図１２の２４時間周期のプロットの可視化及び解析ツールを使用したグラフィカル表示である。
【図１４】強調表示された高血糖ＡＰＡＥ事象及び低血糖ＡＰＡＥ事象に関する統計がそれぞれ表示されている、図１２の２４時間周期のプロットの可視化及び解析ツールを使用したグラフィカル表示である。
【図１５】２週間の患者データに基づくＡＰＡＥランドスケーププロットのグラフィカル表示であり、その期間にわたって蓄積されたＡＰＡＥと連携している平均ＣＧＭデータを示す。
【図１６】蓄積されたＡＰＡＥと連携している平均ＣＧＭデータを示す、別のＡＰＡＥランドスケーププロットの別のグラフィカル表示である。
【図１７】所定期間にわたるインスリン送達システムの様々なＣＧＭセンサ関連メトリックを列挙している表形式表現である。
【図１８】所定の（１日の）期間にわたる送達システムのインスリン送達に関するメトリックの表形式表現である。
【図１９】所定期間にわたる高血糖活動事象を示す表形式表現である。
【図２０】所定期間にわたる高血糖活動事象を示す一実施形態による表形式表現である。
【発明を実施するための形態】
【００１３】
以下の詳細な説明は、図面を参照して読まれるべきであり、図面において、異なる図面における同様の要素には、同一の参照符号が付されている。図面は選択的実施形態を示しており、本発明の範囲を限定することを意図するものではない。詳細な説明は、本発明の原理を限定ではなく一例として例証するものである。この説明により、当業者が本発明を作製し使用することが明確に可能になり、本発明を実施する最良の形態であると現時点において考えられるものを含む、本発明のいくつかの実施形態、適用例、変形例、代替例、及び使用が説明される。
【００１４】
本明細書で用いるとき、「患者」、「ホスト」、及び「ユーザー」という用語は、任意のヒト又は動物被験対象を指し、ヒト患者における本発明の使用は、好ましい実施形態を表わすが、システム又は方法をヒトにおける使用に限定することを意図したものではない。更に、「ユーザー」という用語は、薬物注入デバイスを使用する患者だけでなく、世話人（例えば、親若しくは保護者、看護スタッフ、又はホームケア従業員）も含む。「薬物」という用語は、ホルモン剤、生物活性物質、ユーザー又は患者の体内において生物学的反応（例えば、血糖反応）の原因となる医薬品又は他の化学薬品を含むことができ、好ましくはインスリンである。
【００１５】
一態様によれば、インスリン送達速度を調節するために患者が制御可能なポンプと、グルコースレベルを測定するためのセンサと、自律的調節に基づいてインスリンを送達するように構成されたコントローラとを含むインスリン送達システムが提供される。このシステムは、システムと係合可能な可視化及び解析ツールを更に含み、当該ツールは、患者の血糖変化を示す少なくとも１つの活動事象（メトリック）の検出及び表示を可能にし、その場合、少なくとも１つの活動事象は、システムによって送達されたインスリンと、所定の経時的な基礎レートとの間の所定の差異に基づく。
【００１６】
本システムは、周期的な時間間隔でインスリンを送達し、送達された実際のインスリンと比較して、システムによって送達されるようにスケジュールされているインスリンの変化に基づいて、少なくとも１つの活動事象が検出される。１つのバージョンによれば、スケジュールされた実際のインスリンと比較して、送達されたインスリンの割合が、所定の時間間隔にわたって平均化される閾値を周期的に超えると、これが活動事象の発生の引き金となる。活動事象は、周期平均化が閾値を超えなくなるまで継続する。センサによって測定される患者のグルコースレベルが許容可能な目標範囲内に維持されている間でも、活動事象が検出され得る。
【００１７】
別の態様によると、インスリン送達デバイスと、グルコースレベルを測定するための少なくとも１つのセンサと、送達デバイスによるインスリンの送達を自律的調節に基づいて指示するように構成されたコントローラとを含むインスリン送達システムを改善するための方法であって、当該方法は、センサからのグルコースデータ及び送達デバイスからのインスリン送達データを所定期間にわたって可視化及び解析ツールに提供する工程と、コントローラによって使用される送達アルゴリズムに基づいてシステムによって送達されたインスリンと、ポンプによって使用される所定の基礎レートとの間の所定の差異に基づいて、少なくとも１つの活動事象を検出及び表示する工程と、を含む。
【００１８】
この関連で、１つのバージョンによると、本出願人らは、インスリン送達調節ＡＰアルゴリズム（例えば、ＭＰＣを利用する）が、システムユーザーの血糖の潜在的低血糖及び高血糖変動を回避又は緩和するために、有意なインスリン調節動作を起こす時を定量的に捉えるメトリックを考案した。このようなメトリックを見て理解することによって生じる価値は、少なくとも２つのコンポーネントを有する。第１に、患者、介護者、又はＨＣＰによるメトリックのレトロスペクティブ分析は、患者の最近の履歴において、システム（アルゴリズム）が有意な動作を起こし、ユーザーの低又は高グルコース閾値のいずれかの突破が明らかに回避され、患者を安全に保つと同時に、煩わしい警報及びユーザーによる素人療法の両方を未然に防いだ出来事を解明することができる。この理解は、システムに対する信頼を高めるうえで、ユーザー及び介護者にとって極めて重要である。
【００１９】
第２に、識別されたメトリックのパターンは、時間をかけて、より改善されたグルコース制御をもたらすことができる治療的洞察を明らかにすることができる。例えば、ユーザーは、メトリックが、所定期間（例えば、１週間）にわたって夜間期間のたびに同じ種類の事象を捉えることを確かめることができる。この情報を使用して、ユーザー又はＨＣＰは、夜間期間中の基礎レートを微調整し、それによって、調節後の後続の複数の週及び月におけるグルコース制御をより良好なものにすることができる。本明細書で考案されるメトリックは、本明細書において人工膵臓活動事象（「ＡＰＡＥ」）と称される。このメトリックの目的は、ユーザーの糖尿病治療に追加する際に、システムアルゴリズムによって付与された値を捉え、この値の強調表示を、簡略化した方法でユーザーに説明することである。本明細書での議論のために、メトリックは、２つの類似のバリエーション、すなわち、低血糖ＡＰＡＥ及び高血糖ＡＰＡＥを有することができる。
【００２０】
ＡＰＡＥは、所定の周期的な時間間隔でのサンプリングに基づく計算から導出することができる。１つのバージョンによれば、各サンプリング間隔を、例えば、５分とすることができる、３つのサンプルの平均を得る。その結果、患者がスケジュールしたインスリン送達量（例えば、基礎量）の連続した１５分平均、及び、システムのＡＰアルゴリズムによって決定される、システムが実際に送達したインスリンの連続した１５分平均に基づいて、この記載したサンプリング間隔に従ってＡＰＡＥを導出することができる。
【００２１】
１つのバージョンによると、少なくとも２つの連続した１５分平均に関して、システムによって送達されたインスリンが、患者がスケジュールした送達量（一時的基礎量及び複合型／長時間型ボーラスプログラムを含むが、１回のボーラスを含まない）の対応する１５分平均の少なくともＸ分の１（つまり、（１／Ｘ）＊１００％未満）である場合に、低血糖ＡＰＡＥが検出される。例えば、Ｘ＝１．５の場合、（１／Ｘ＊１００％＝６７％）となる。この例では、一旦検出されると、この条件が少なくとも２つの連続した１５分平均に関して満たされなくなるまで、低血糖ＡＰＡＥは記録され続け、表示され続ける。
【００２２】
同様に、少なくとも２つの連続した１５分平均に関して、システムが命令したインスリンが、患者がスケジュールした送達量（一時的基礎量及び複合型／長時間型ボーラスプログラムを含むが、１回のボーラスを含まない）の対応する１５分平均の少なくともＹ倍（つまり、Ｙ＊１００％超）である場合、高血糖ＡＰＡＥが検出され得る。この例の目的のために、Ｙ＝１．５の場合、Ｙ＊１００％＝１５０％となる。一旦検出されると、この条件が少なくとも２つの連続した１５分平均に関して満たされなくなるまで、高血糖ＡＰＡＥは記録され続け、表示され続ける。
【００２３】
本明細書に記載の可視化及び解析ツールを使用して、低血糖ＡＰＡＥ及び高血糖ＡＰＡＥを検出してユーザーに表示することができるインスリン送達データを詳細に説明する、所定の期間（例えば、１週間）にわたるデータセットを、センサ（すなわち、ＣＧＭ）データと連携させて、ユーザーに提示することができる。
【００２４】
可視化及び解析ツールは、得られたデータ及び算出されたメトリックの解析を容易にすることができる。例えば、１つのバージョンによれば、長期間にわたる時刻を示し、その合計期間にわたって時刻と連携するシステムの動作を評価できる、ランドスケーププロットを作成することができる。このランドスケープ化により、患者及びＨＣＰは、インスリン送達システムの態様（例えば、ポンプ設定）及び基礎レートを微調整して、グルコース制御を更に改善することができる。あるいは、ＡＰＡＥを含む様々なメトリックを、ユーザー又はＨＣＰに表形式で提供することができる。
【００２５】
有利には、ユーザーは、閉ループＡＰシステムが静音であり、低血糖症及び高血糖症にならないように患者を自律的に安全に維持し、システムに対する付加的な信頼性を提供することに気付く。更に、ユーザーは、本明細書に記載される可視化ツールを使用してシステムが生成したデータ（グラフィックであるか、表形式であるかにかかわらない）から洞察を収集することができ、これは、長期にわたる血糖管理を更に改善することができる治療的調整（例えば、基礎レートの調整）を行うことにつながる。
【００２６】
更なる関連した利点は、閉ループシステムが低血糖又は高血糖変動を防止することに失敗し、そのため連動警報の回避に失敗したが、かかる警報が鳴る前にユーザーに代わって有意に作動した場合に、ユーザーが、その重症度、持続時間、又は開始時間の観点から、システムが変動を効果的に緩和したことに気付くことである。
【００２７】
少なくとも１つの態様によると、以下の議論は、人工膵臓のインスリン制御に関わる活動事象を決定するためのメトリック、及びメトリックの使用に基づいてメタ解析を行う可視化及び解析ツールに関する。どの種類のアルゴリズムをこのメトリック並びに可視化及び解析ツールに適用することができるかという点について、ツールは、患者が設定した基礎レートに対してインスリンを自律的に調節する文字どおりあらゆるＡＰ（制御）アルゴリズムによって生成されたあらゆるデータと連動することができる。したがって、本明細書に記載される実施例は、ＭＰＣを使用するシステムに関するが、本発明は、本発明のインスリン送達システムによって使用されるアルゴリズムの種類に関係なく、任意の形態の連続的な自律的調節（ＰＩＤなど）を採用するあらゆるインスリン送達システムに適用することができる。
【００２８】
加えて、このシステムは、２４時間につき２つ以上の事前に設定された基礎レートに適用可能である。一例として、患者は、１日を通して３つの異なる基礎レート（例えば、夜間用の１つの基礎レート、日中用の別の基礎レート、及び午後の運動時用の別の基礎レート）を設定することができる。既知の基礎レートプロファイル（患者のＨＣＰによって割り当てられる治療の一環であり得る）は、患者がインスリン送達ポンプにプログラムすることができるので、既知であり、また、アルゴリズムの出力、すなわち、変更された送達速度（変更が「ゼロ」であるとき、つまり、事前に設定された基礎レートが変更されないときを含む）もまた、既知である。本明細書において以下でより詳しく説明するように、これらのパラメータは、それぞれ、メトリックの開発のために使用することができる。
【００２９】
図１は、薬物（インスリン）送達システム１００の態様を示す。薬物送達システム１００は、注入ポンプなどの薬物送達デバイス１０２とコントローラ１０４とを含む。薬物送達デバイス１０２は、可撓性チューブ１０８を介して注入セット１０６に接続されてもよい。
【００３０】
薬物送達デバイス１０２は、示されるように、例えば、無線周波数（「ＲＦ」）又はブルートゥース（登録商標）低消費電力（「ＢＬＥ」）通信１１１によって、リモートコントローラ１０４にデータを送受信するように構成されている。送達デバイス１０２はまた、無線通信チャネル（例えば、ＢＬＥ）１１０を介してＣＧＭセンサ１１２からグルコースデータを無線受信するように構成されている。あるいは、薬物送達デバイス１０２は、独自の内蔵型コントローラを有する独立型デバイスとしても機能し得る。一実施形態では、薬物送達デバイス１０２は、インスリン注入デバイスであってもよく、コントローラ１０４は、ハンドヘルド型ポータブルコントローラデバイス、又はスマートフォン、運動若しくはユーザーモニタリング機器などの消費者電子デバイスであってもよい。かかる実施形態において、薬物送達デバイス１０２からコントローラ１０４に送信されるデータは、例えば、限定するものではないが、インスリン送達データ、血糖情報、基礎量、ボーラス、インスリン対炭水化物比（「Ｉ：Ｃ」）、及びインスリン感受性要因「ＩＳＦ」などの情報を含み得る。あるいは、グルコースセンサ１１２からのグルコースデータを、無線通信チャネル１１０を介してコントローラ１０４に直接送信することができる。コントローラ１０４は、ＭＰＣコントローラを含むように構成することができる。あるいは、図２に模式的に示すように、ＭＰＣコントローラ２２４は、薬物送達デバイス２００内に組み込まれていてもよい。
【００３１】
制御（ＡＰ）アルゴリズムは、薬物送達デバイス１０２において、又は、図１に示す形態の両方で、リモートコントローラ１０４の中に存在することができる。１つの構成において、コントローラ１０４は、必要な情報（例えば、インスリン履歴）を、薬物送達デバイス１０２並びにグルコースセンサ１１２（例えば、グルコースデータ）から無線で収集し、薬物送達デバイス１０２によって調節しながら送達されるインスリンの量を、薬物送達デバイス１０２が制御アルゴリズムを用いて算出できるようにする。あるいは、コントローラ１０４は、制御アルゴリズムを含み、基礎投与又はボーラス計算を実行し、かかる計算の結果を送達指示と共に薬物送達デバイス１０２に送ってもよい。代替実施形態において、間欠的血糖計器１１４及び生体内感知装置１１５を単独で又はＣＧＭセンサ１１２と共に使用して、血糖データをコントローラ１０４及び薬物送達デバイス１０２のいずれか一方又は両方に提供することもできる。代替的に、リモートコントローラ１０４は、計器１１４と組み合わされて、（ａ）統合型モノリシックデバイス、又は（ｂ）相互にドッキング可能な２つの可分デバイスのどちらかとして用いることができ、これらのデバイスは統合型デバイスを形成する。デバイス１０２、１０４、１１４のそれぞれは、種々の機能を実行するようにプログラムされた好適なマイクロコントローラ（簡略化のため図示せず）を有する。
【００３２】
薬物送達デバイス１０２はまた、例えば、無線通信ネットワーク１１８を通じて、リモートヘルスモニタリングステーション１１６と双方向無線通信するように構成されていてもよい。リモートコントローラ１０４及びリモートモニタリングステーション１１６は、例えば、電話地上波通信網を通じて双方向有線通信するように構成され得る。リモートモニタリングステーション１１６を使用して、例えば、更新されたソフトウェアを薬物送達デバイス１０２にダウンロードし、薬物送達デバイス１０２からの情報を処理してもよい。リモートモニタリングステーション１１６の例としては、パーソナルコンピュータ又はネットワークコンピュータ１２６、記憶装置に対するサーバー１２８、携帯情報端末、他の携帯電話、病院ベースモニタリングステーション、又は専用のリモート臨床監視局を挙げることができるが、これらに限定されない。あるいは、図１には示されていないが、ストレージ、例えば、制御アルゴリズムをクラウド内に更に設けるようにしてもよい。
【００３３】
薬物送達デバイス１０２は、中央演算処理装置、並びに制御プログラム及び演算データの保存のためのメモリエレメントを含む処理用電子機器と、通信信号（すなわち、メッセージ）の送受信のための高周波モジュール、ブルートゥース（登録商標）インターフェースなどと、ユーザーに運用情報を提供するためのディスプレイと、ユーザーが情報を入力するための複数のナビゲーションボタンと、システムに給電するための電池と、ユーザーにフィードバックを提供するための警報器（例えば、視覚、聴覚、又は触覚）と、ユーザーにフィードバックを提供するための振動器と、所定量のインスリンをインスリンリザーバ（例えば、インスリンカートリッジ）から注入セット１０８／１０６及びユーザー体内に接続されたサイドポートを通じて押し出すための薬剤送達機構（例えば、薬剤ポンプ及び駆動機構）と、を含む。薬物送達デバイスの例は、Ａｎｉｍａｓ  Ｃｏｒｐｏｒａｔｉｏｎ（Ｗａｙｎｅ，Ｐｅｎｎｓｙｌｖａｎｉａ）が製造する修正済みＡｎｉｍａｓ（登録商標）Ｖｉｂｅ（登録商標）インスリンポンプの形態である。
【００３４】
ユーザーのグルコースレベル又は濃度は、ＣＧＭセンサ１１２を用いて測定できる。ＣＧＭセンサ１１２は、例えば、センサエレクトロニクスに動作可能に接続されかつ感知膜及びバイオインターフェース膜で覆われた３つの電極を有する電流測定化学センサ（amperometric chemical sensor）を用いるなど、ＣＧＭを介してグルコースを測定することができる既知のセンサ技術を利用する。
【００３５】
電極の上端部は、感知膜と電極との間に配設された自由流動性の流体相である電解質相（図示せず）と接触している。感知膜は、電解質相を被覆する酵素、例えば、グルコース酸化酵素を含んでもよい。この例示的なセンサにおいて、作用電極で測定されている種により発生した電流を調和させるために対電極が設けられる。グルコースオキシダーゼベースのグルコースセンサの場合、作用電極で測定される種はＨ２Ｏ２である。作用電極で産生される（そして回路を通じて対電極へと流れる）電流は、Ｈ２Ｏ２の拡散流束に比例する。結果的に、ユーザーの体内のグルコース濃度を表し、したがって、有意のグルコース値を推定するために利用することができる原信号が生じ得る。システムにおいて有用なセンサ及び関連する構成要素の詳細は、参照により全体が本出願に記載されているかのように本明細書に組み込まれる米国特許第７，２７６，０２９号に図示され、説明されている。一実施形態では、市販の連続グルコースセンサ、例えば、Ｄｅｘｃｏｍ，Ｉｎｃ．のＧ４（登録商標）又はＧ５（登録商標）を、本明細書に記載される例示的な実施形態で利用することができる。
【００３６】
本発明の一実施形態では、人工膵臓と類似である糖尿病の管理のためのシステムとして以下の構成要素を利用することができる：注入ポンプ；間欠的グルコースセンサ；これらの構成要素を接続するための、ＭＡＴＬＡＢ（登録商標）言語又は埋め込まれたコードでプログラムされたインターフェース、及び構成要素を接続するための付属ハードウェアを備える、Ｄｅｘｃｏｍ，Ｉｎｃ．製のモニタのような持続グルコースモニタ；並びに、患者のグルコースレベル、過去のグルコース測定値及びインスリン送達、予想される将来のグルコースの傾向、並びに患者固有の情報に基づいてインスリン送達の速度を自動制御する少なくとも１つの制御アルゴリズム。
【００３７】
図２を参照して、患者２１０と関連して使用するために模式的に示される薬物送達デバイス２００の別の例示的な実施形態が示される。この実施形態による薬物送達デバイス２００は、ポンプ送達モジュール２１４、ＣＧＭモジュール２２０、及びＭＰＣモジュール２２４を収容する。好ましくは、この実施形態は、例えば、共に参照によりそれら全体が本明細書に組み込まれる米国特許第８，５２６，５８７号及び米国特許出願第１４／０１５，８３１号に開示されている低血糖−高血糖ミニマイザー（「hypoglycemia-hyperglycemia minimizer、ＨＨＭ」）システムを採用し、各々が薬物送達デバイス２００のハウジング内に組み込まれる。ＣＧＭモジュール２２０は、患者２１０に配置されたＣＧＭセンサ１１２からの信号を受信するように構成される。図示のように、ＭＰＣモジュール２２４は、ＣＧＭモジュール２２０並びにポンプ送達モジュール２１４に動作可能に接続され、皮下グルコース情報を受信して、この情報を、過去の全てのインスリン送達も認識している格納されたアルゴリズムに提供するように構成されている。このデータを用いてグルコースレベルの近い将来の予測を算出し、近い将来に予測される、又は実際の、高血糖又は低血糖状態を緩和するインスリン送達速度を生成する。次いで、ポンプ送達モジュール２１４が、現在の（例えば、５分）間隔に対応する患者が設定した速度に対して、上記速度を作動させる。このプロトコルは、その後の時間間隔毎に繰り返される。
【００３８】
ＭＰＣモジュール２２４に用いられる例示的なアルゴリズムは、参照することによりその全内容が本明細書に組み込まれる、米国特許第８，５６２，５８７号及び同第８，７６２，０７０号、並びに米国特許第１３／８５４，９６３号及び同第１４／１５４，２４１号に詳述されており、インスリンの送達を制御する予測値を、基礎レート、食事活動、及び持続グルコースモニタリングに基づいて作成する。技術的には、ＣＧＭは、周期的なスケジュール（例えば、５分毎に１回）に従って行われる。上述したように、インスリンは、この実施形態及びこの考察の以下の全ての部分では、ＨＨＭシステムを使用して患者２１０に送達される。しかしながら、すでに述べたように、他の既知のＭＰＣ又はＰＩＤ型の送達システム、及びこれらシステムによって採用される予測アルゴリズムを利用することができる。
【００３９】
一実施形態によれば、ＣＧＭモジュール２２０及びＭＰＣモジュール２２４からの関連データを、例えば媒介デバイスとしてのリモートコントローラ１０４を介して無線通信することができる可視化及び解析ツールを、遠隔監視システム１１６（図１）に設けることができる。あるいは、ユーザー又はＨＣＰが見ることができるようにするために、少なくとも可視化ツールの態様を、薬物送達デバイス１０２、２００、又はリモートコントローラ１０４（図１及び図２）に設けることができる。
【００４０】
下記の記述の目的のために、インスリン送達システム又はグルコース管理システムで使用するためのメトリックが開発された。このメトリックは、本明細書ではＡＰＡＥと称される。本明細書に記載される実施例において、ＡＰＡＥは、各サンプリング間隔がＨＨＭ送達システムの間隔に従って５分である、３つのサンプル平均に基づく演算から導出される。すなわち、ＡＰＡＥは、患者がスケジュールしたインスリン送達量（例えば、基礎量）の２つの直近１５分、及びＡＰ（ＨＨＭシステム）アルゴリズムによって決定される、システムが実際に送達したインスリンの２つの直近１５分に基づいて導出される。
【００４１】
以下により詳細に論じられるように、ＡＰＡＥの発生は時間的に固定されておらず、むしろ可変時間周期を有する現象である。下記の説明に見られるように、上記サンプリング間隔に基づいて、ＡＰＡＥは、その検出条件が満たされるか否かに応じて、持続時間が３０分であってもよいし、又は数時間に及んでもよい。
【００４２】
低血糖症及び高血糖症に代表されるように、２つの種類のＡＰＡＥ、すなわち、低血糖ＡＰＡＥ及び高血糖ＡＰＡＥが、可視化及び解析目的のメトリックとして使用される。この説明の目的のため、少なくとも２つの連続した１５分平均に関し、システムによって送達されたインスリンが、患者がスケジュールした送達量の対応する１５分平均の少なくともＸ分の１である場合に、低血糖ＡＰＡＥが検出される。より詳細には、システムによって送達されたインスリンが、患者がスケジュールした送達量（一時的基礎量及び複合型／長時間型ボーラスプログラムを含むが、１回のボーラスを含まない）の対応する１５分平均の（１／Ｘ）＊１００％未満である場合に、低血糖ＡＰＡＥが検出される。上記例の目的のため、Ｘ＝１．５の場合、（１／Ｘ）＊１００％＝６７％となる。
【００４３】
言及したように、上記関係に基づいて低血糖ＡＰＡＥが検出されると、少なくとも２つの連続した１５分平均で上記条件が満たされなくなるまで、この事象は継続して記録される（また、可視化及び解析ツールを使用して表される）。
【００４４】
同様に、以下の例によれば、少なくとも２つの連続した１５分平均に関し、システムによって送達されたインスリンが、患者がスケジュールした送達量の対応する１５分平均の少なくともＹ倍である場合に、高血糖ＡＰＡＥが検出される。より詳細には、システムによって送達されたインスリンが、患者がスケジュールした送達量（一時的基礎量及び複合型／長時間型ボーラスプログラムを含むが、１回のボーラスを含まない）の対応する１５分平均のＹ＊１００％超である場合に、高血糖ＡＰＡＥが検出される。上記例の目的のため、Ｙ＝１．５の場合、Ｙ＊１００％＝１５０％となる。
【００４５】
低血糖ＡＰＡＥの場合と同様に、少なくとも２つの連続した１５分平均で上記条件が満たされなくなるまで、高血糖ＡＰＡＥは継続して記録される（また、可視化及び解析ツールを使用して表される）。結果として、この記載した実施形態の目的のため、ＡＰＡＥ（低血糖又は高血糖）の最小継続時間は、３０分である。
【００４６】
例示的に、図３及び図４を参照して、例示的な７日間のデータセットからの抜粋が、可視化及び解析ツールを使用して、３つの連携したプロット３００、３００Ａ、３２０、３２０Ａ、３４０、３４０Ａとして提供される。本発明の可視化及び解析ツールは、ＣＧＭ測定データと連携した１５分平均に対応する、インスリンの実際に送達した量と個別のシステムによって送達された量との容易な比較を可能にする。各プロットのｘ軸は、時刻に基づいてｘ軸を共通に定義する。２つの図の目的のため、連続した９時間周期が与えられており、図３は、特定の日（本例では５日目）の０６時００分から１５時００分までのタイムラインを示し、図４は、１５時００分（６日目）〜００時００分（７日目）のタイムラインを示している。各図における最上部のプロット３００、３００Ａは、ミリグラム／デシリットル（ｍｇ／ｄＬ）を単位として測定されるＣＧＭ血糖データ３０４のトレースを示し、望ましいグルコース範囲は、下限値である７００ｍｇ／ｄＬ及び上限値である１８０ｍｇ／ｄＬの水平黒線３０５で示されている。トレース３０４は連続しているものとして示されているが、実際は周期的な読み取り（例えば、５分毎）に基づいている。中間のプロット３２０、３２０Ａは、インスリン送達の１５分平均を示し、サンプル平均のそれぞれが１／４時間毎に開始するように位置付けられた網掛けバー３２１として示される。すなわち、対応する平均を算出するために用いられるサンプル一式は、下記の１時間の範囲内に位置することになる。すなわち、｛００分〜＜１５分｝、｛１５分〜＜３０分｝、｛３０分〜＜４５分｝及び｛４５分〜＜６０分｝。こうすることで、１５分平均の境界が基礎量プロファイル変化（これは典型的には１／２時間毎にのみスケジュールすることができる）と確実に整列する。水平黒線３２３は、スケジュールされた基礎送達量を示し、網掛けバー３２１は、ＨＨＭシステム（ＡＰ）アルゴリズムに基づいてシステムによって送達されたインスリンの１５分平均を示す。最後に、最下部（底部）のプロット３４０、３４０Ａは、送達システムに従って５分毎に作動される実際のインスリン送達を示す。送達は、中間のプロット３２０、３２０Ａにおける平均を算出するために使用される縦線３４１として、スケジュールされた基礎量と共に示されており、スケジュールされた基礎量は、底部のプロットにおいても同様に、水平黒線のトレース３４３として示されている。図３では、基礎レートは、５日目の０６時３０分、５日目の０８時００分、５日目の１０時００分、及び５日目（Day）の１４時００分に変化しているが、一時基礎レート又は複合型ボーラスの長時間型部分が存在せず、各平均を算出するときに一定であるため、中間及び最下部のプロット３２０、３４０の黒線３２３、３４３は同一である。しかしながら、一時基礎レートは、任意の５分ステップで開始するように患者が設定することができる。これは、図４の例によってより明確に示されおり、図中、−５０％の一時基礎レート（底部のプロット３４０Ａに示される）が、１５分と非同期的に開始されている（６日目の１７時２０分〜６日目の１８時２０分）。この結果、中間のプロット３２０Ａの対応する網掛け１５分平均３２１Ａは、一時基礎レートの開始時間及び停止時間の近くで中間値を示している。前述と同様に、複合型ボーラスは存在しない。この例示の一連の図では、欠落したＣＧＭデータ点が、図３の５日目の１４時２０分及び図４の６日目の２２時００分にそれぞれ見られる。
【００４７】
図５を参照して、全７日間のデータセットを示す。最上部の（上部）プロット５００は、ここでも同様に、ｍｇ／ｄＬを単位として測定される全７日間にわたるＣＧＭ（グルコース）データ表示を提供し、当該データは時刻にわたって所定範囲（７０〜１８０ｍｇ／ｄＬ）上に重畳され、この範囲は水平線５０３によって示される。下の２つのプロット５２０、５４０は、上部プロット５００と時刻の点で連携しており、中間のプロット５２０は、インスリン送達の１５分平均（網掛けバー５２１）を提供し、黒い区分的水平線５２３は、スケジュールされた基礎送達を表す。このプロット５２０の上部は、図表化されたデータから離れて図示された低血糖ＡＰＡＥ及び高血糖ＡＰＡＥ事象５２５の存在を示し、上記メトリックは、送達されたインスリンの量と患者がスケジュールしたインスリンの量との間の１５分平均の差異に基づく上記の活動状況に基づいて検出される。事象５２５は、事象５２５が検出された送達期間の真上に示されている。
【００４８】
図６及び図７を参照して、低血糖ＡＰＡＥ及び高血糖ＡＰＡＥの例を、それぞれ、図５のデータセットの一部分に基づいてより詳細に示す。図６を具体的に参照すると、与えられたグラフィカル表示は図３及び図４のものと同様であり、最上部のプロット（上部）プロット６００は、５日目（００時００分）〜５日目（０４時００分）の間の４時間のスパンにわたるＣＧＭ（グルコース）データをｍｇ／ｄＬの単位で表わし（トレース６０２として示す）、中間のプロット６２０は、システムによって送達されたインスリン（網掛けバー６２１）及びスケジュールされた基礎送達（黒線６２３）の１５分送達平均を示し、底部のプロット６４０は、実際の５分増分のシステム送達（縦線６４１）及び基礎送達（水平線６４３）を示す。図示のように、低血糖ＡＰＡＥ  ６２４が検出され、これはつまり、２つの直近の連続した１５分平均（５日目の１時１５分、１時２０分、１時２５分の３つの包括的サンプル、及び５日目の１時３０分、１時３５分、１時４０分の３つの包括的サンプル）が、上記のＸ＝１．５に関する条件を満たし、平均がスケジュールされたインスリン送達の６７％未満であったことを意味する。より具体的には、この特定の事象において、ＨＨＭシステムは、患者がスケジュールしたインスリン量の２１％を送達した（ＨＨＭによって送達された０．１３Ｕ対基礎送達量として当初スケジュールされていた０．６３Ｕ）。低血糖ＡＰＡＥ  ６２４は、２つの連続した１５分平均（５日目の２時００分、２時０５分、２時１０分の３つの包括的サンプル、及び５日目の２時１５分、２時２０分、２時２５分の３つの包括的サンプル）が上記条件を満たさなくなるまで継続して記録された。この可視化ツールにより、３つの１５分バーが、中間のプロット６２０の水平黒線によって示される患者がスケジュールした基礎送達量の対応する１５分平均よりも有意に（１．５倍を超えて）低いことを見て取ることができる。更に、ある他の表示データは、２つの連続した１５分平均がスケジュールされたレートの１．５分の１であるという低血糖ＡＰＡＥの条件を満たさなかったことに留意されたい。５日目の０３時００分、０３時０５分、及び０３時１０分の３回の送達では、網掛け平均は、明らかに基礎量（黒線レベル）の６７％未満である。しかしながら、後続の１５分間隔が必要条件を満たしていないため、記録されたＡＰＡＥは存在しない。
【００４９】
図７は、同じデータセットのものであるが異なる期間にわたる、高血糖ＡＰＡＥ事象の表示例を示す。この例において、最上部のプロット７００は、ここでも同様に、２日目の５時００分から５日目の９時００分に達する時刻の期間にわたってｍｇ／ｄＬの単位で測定される、ＣＧＭ（グルコース）データトレース７０２を示す。中間のプロット７２０は、同一期間（水平黒線７２３）にわたるスケジュールされたインスリン送達、並びに、１５分平均で決定される、システムによって送達されたインスリン（網掛け領域７２１）を示す。前述の例と同様に、一番下の（下側）プロット７４０は、スケジュールされた基礎送達量（水平線７４３）、及び縦線７４１として表される、システムによって送達されたインスリンを含む、５分間隔の具体的な送達事象を示す。中間のプロット７２０に示すように、少なくとも２つの連続した１５分平均（２日目の０６時３０分〜０６時５５分の６つの包括的サンプル）は、システムによって送達されたインスリンが、患者がスケジュールした送達量（一時的基礎量及び複合型／長時間型ボーラスプログラムを含むが、１回のボーラスを含まない）の対応する１５分平均のＹ＊１００％を超え、Ｙ＝１．５であり、送達量がスケジュールされた量の少なくとも１５０％であるという条件を満たす。より詳細には、この事象の間、ＨＨＭシステムは、この期間にわたって、患者によって当初スケジュールされていた量の２０６％を送達した（すなわち、ＨＨＭの２．３２Ｕ（システム）対１．１３Ｕ（基礎量））。先述のとおり、これ以上事象が記録されないために、少なくとも２つの連続した１５分平均は、定義された条件を満たしてはいけない。言及したように、この可視化ツールにより、３つの１５分の網掛けバー７２１が、患者がスケジュールした基礎量の対応する１５分平均よりも有意に高いことを、中間のプロット７２０において見て取ることができる。先の説明から分かるように、患者のグルコースレベルが依然として十分に許容可能な目標範囲内にある間に、活動事象（ＡＰＡＥ）を検出することができる。
【００５０】
図７はまた、この連続性条件を満たさなかった「将来の高血糖ＡＰＡＥ」の例を明瞭に示している。２日目の０８時３０分、０８時３５分、０８時４０分における３回の送達は、中間のプロット７２０の網掛けバー７２１で示されるように、基礎量（黒線７２３）レベルの１５０％超である平均を明確に生成する。しかしながら、後続の１５分間隔は条件を満たさないので、高血糖ＡＰＡＥは記録されない。
【００５１】
図８〜図１４を参照すると、上で定義されたメトリック（すなわち、低血糖ＡＰＡＥ及び高血糖ＡＰＡＥ）に基づく可視化ツールを使用した更なるグラフィカル表示が提供される。図８は、２４時間周期（午前０時〜午前０時）にわたって収集したインスリンデータの表示を提供する。図中、最上部の（上部）プロット８００は、トレース８０４によって表されたＣＧＭデータを示すが、データの一部は特定のデータ点に基づいて図示されており、平滑化された曲線状の出力になっていない。下限値である７０ｍｇ／ｄＬ及び上限値である１８０ｍｇ／ｄＬを含む目標範囲は、中央の網掛け部分８０８に示され、下限及び上限（警戒）閾値は、それぞれ、５０ｍｇ／ｄＬ及び２５０ｍｇ／ｄＬの位置に水平破線８１２によって表示されている。この表示では、食事などの炭水化物事象及び皮下注射治療（システムのユーザーによってタグ付けされる）は、定義されたタイムライン（ｘ軸）に沿った三角マーク８１６によって示される。下側（底部）のプロット８４０は、同じ２４時間タイムラインにわたってＣＧＭデータと連携したインスリン送達を示し、図中、網掛けバー８４４は、システムによって送達されたインスリンの１５分平均（３つの５分のサンプリング間隔から得た）を示す。底部のプロット８４０の水平黒線８４８は、スケジュールされた基礎レートを表し、各縦線８５２は１回のボーラスを示し、それぞれがグルコースの単位（「Ｕ」）で測定される。
【００５２】
図９〜図１１は、ＣＧＭ変動及び活動事象に関する統計を得るための様々な特徴を示している。図９によると、ＣＧＭデータの一部（矢印８５１）は、網掛け上限値である１８０ｍｇ／ｄＬを超えていることが分かる。可視化ツールは、限界を超えたＣＧＭデータ部分の上にカーソルを合わせることによって（あるいはその領域をクリックすることによって）、表示されたプロット８００に重畳された統計ボックス８５０を提供するように構成されている。統計ボックス８５０は、変動の持続時間、変動の時間の範囲、並びにグルコースの最大レベル、及び対応するタイムスタンプのスナップショットサマリーを提供する。
【００５３】
図１０を参照すると、グラフィカル表示の一部（矢印８５３参照）は、下限値である７０ｍｇ／ｄＬ（上部プロット８００の中央網掛け区域８０８の下）を明らかに下回っている。この場合、可視化ツールは、限界を下回るＣＧＭデータ部分８５３の上にカーソルを合わせることによって（あるいはその領域をクリックすることによって）、表示されたプロット８００に重畳された統計ボックス８５４を同様に提供する。このバージョンによる統計ボックス８５４は、変動の持続時間、変動の時間の範囲、並びにグルコースの最小レベル、及び対応するタイムスタンプのスナップショットサマリーを提供する。
【００５４】
同様に、同じ上部プロット８００及び底部プロット８４０を別様に含む図１１を参照すると、上部プロット８００上の炭水化物摂取８５６（例えば、１８時００分）の上にカーソルを合わせて、摂取時刻並びに摂取した炭水化物の量を含む統計ボックス８５５を表示させることができる。統計ボックス８５０、８５４、８５５のそれぞれは、色分けなどによって、視認性を改善する方法で提供することができる。表示される各データも同様に、視覚化ツールに取り込まれた他のデータからの任意のデータを好適に対比させるために、色及び濃淡を付けて提供されてもよいことに留意されたい。
【００５５】
図１２〜図１４を参照して、図８〜図１１でグラフィカル表示されたデータセットに関連した更なる拡張を、上述のＡＰＡＥメトリック（低血糖及び高血糖ＡＰＡＥ）に基づいて本明細書に説明する。図１２に示すように、検出されたＡＰＡＥは、水平網掛け領域９２０、９２４内に提供され、これら水平網掛け領域９２０、９２４は、好ましくは、低血糖ＡＰＡＥが検出されたのか、又は高血糖ＡＰＡＥが検出されたのかに応じて色分けされ、かつ、上述したように定義された条件を満たす２つの連続した１５分平均に基づいて記録されて、上部及び底部のプロット８００、８４０のそれぞれに示される。
【００５６】
図１３及び図１４を参照すると、可視化及び解析ツールによって、ユーザーは、検出されたＡＰＡＥに関する追加の統計情報を得ることができる。１つのバージョンによれば、図１３を参照すると、カーソル（矢印９３９参照）を、底部（インスリン送達）プロット８４０に示されるように、検出及び記録された高血糖ＡＰＡＥの上に合わせることができ、又は代替え方法として、その網掛け領域９２０をクリックすることによって、この事象に関する統計ボックス９４０を、好ましくは対比色でディスプレイ上に重畳させる。このバージョンによる統計ボックスは、高血糖ＡＰＡＥ事象の持続時間並びにその発生時刻、その期間にわたるスケジュールされた平均基礎レート、及びその期間にわたる平均システム送達速度を含む。同様に図１４に示すように、カーソル（矢印９４３参照）を低血糖ＡＰＡＥ（底部のプロット８４０の網掛け区域９２０）の上に合わせ、好ましくは高血糖ＡＰＡＥの対比色と異なる対比色で統計ボックス９４４を表示させることによって、任意の網掛けされた低血糖ＡＰＡＥの更なる詳細を与えることができる。この場合、統計ボックスは、低血糖ＡＰＡＥの持続時間並びにその発生時刻、その期間にわたるスケジュールされた平均基礎レート、及びその期間にわたる平均システム送達速度を含む。先述のとおり、低血糖又は高血糖ＡＰＡＥの発現は、患者のインスリンが依然として中央の網掛け領域内に示された許容可能な範囲内にあることをＣＧＭデータが示している間に発生する場合がある。例えば、検出される低血糖ＡＰＡＥの発現の前兆となる１１時００分に測定されたＣＧＭデータは、依然として十分に許容可能な７０〜１８０ｍｇ／ｄＬの範囲内である。上記視覚化は、送達（例えば、ＨＨＭ）システムに対する信用及び信頼を介護者及びユーザーに与える。
【００５７】
システムのインスリン調節作用及びＡＰＡＥメトリックの使用により、システムの動作の有意義な解析が可能となる。しかしながら、生成され得る情報量は圧倒的となり得る。この情報をより効果的に使用するために、図１５及び図１６を参照すると、可視化及び分析ツールは、長期間（例えば、２週間）又は患者若しくは医療関係者によって選択される任意の他の期間にわたって送達システムの能力を評価する、ランドスケーププロットを作成することができる。このツールは、時刻と連携しているシステムの動作を長期間全体にわたってレビューすることを可能にし、それによって、患者及び医療関係者が、基礎レート又は炭水化物摂取などの患者のポンプ設定を微調整して、グルコース制御を更に改善するのを助ける。図１５は、単一の１つ（１日）のフォーマットに圧縮された、患者から得た２週間のデータに基づく例示的なランドスケーププロット１１００を詳細に示す。一対のプロット１１２０、１１６０が提供される。最上部の（上部）プロット１１２０は、ｍｇ／ｄＬの単位で測定されるグルコースが２週間のデータにわたって時刻に対してプロットされた平均ＣＧＭデータトレース１１２４を示す。プロット１１２０の上軸は、ステップ数で表された時間を表し（１時間当たり１２ステップ、１ステップはそれぞれ５分）、平均ＣＧＭは暗い曲線１１２４で表され、平均ＣＧＭを追尾する網掛け部分１１２８は、統計的に有意な範囲（すなわち、１つの標準偏差）を表し、目標範囲（７０ｍｇ／ｄＬ〜１８０ｍｇ／ｄＬ）は、例えば、異なる色、陰影等を用いて、対比するやり方で更に示されている。この特定の例では、目標範囲も網掛け領域１１３２として示される。
【００５８】
一番下の（下側）プロット１１６０は、上側プロット１１２０と連携しており、同じ２週間にわたって発生した低血糖ＡＰＡＥ及び高血糖ＡＰＡＥ（事象）の数（回数）を図示する。この特定例の目的のため、プロットの上（正）側に高血糖ＡＰＡＥ  １１６４が示され、底（負）側に低血糖ＡＰＡＥ  １１６８が示され、それぞれ網掛け領域で示されている。プロット１１６０は合計１４日間を含んでいるので、時刻に対する活動事象１１６４、１１６８の最大数も１４である。
【００５９】
図１６は、患者及び医療関係者が傾向を容易に詳細に見る及び識別することができる、長期間（１４日）にわたって取得した別のデータセットによるランドスケーププロットを示す。従来例のように、一対のプロット１２２０及び１２６０が与えられ、上部プロット１２２０は、トレース１２２４、及び統計的に有意な範囲（すなわち、１つの標準偏差）を示す網掛け部分１２２８によって表される長期間にわたる平均ＣＧＭ（センサ）データを提供する。プロットは目標範囲を更に定義し、目標範囲も網掛け部分１２３２として示される。底部のプロット１２６０は、同じ期間にわたって連携される低血糖ＡＰＡＥ及び高血糖ＡＰＡＥの回数を示し、高血糖ＡＰＡＥは網掛け領域１２６４として示され、低血糖ＡＰＡＥは網掛け領域１２６８として示されている。活動事象（例えば、ＡＰＡＥ）メトリックを使用することにより、送達システムの有効性に関する大量の情報を一度に見ることができ、患者が糖尿病治療をより良好に管理することができる。例えば、図１５の底部のプロット１１６０によれば、２２時００分から２３時００分の間に１０を超える低血糖ＡＰＡＥが一貫して認められるので、患者の全体的血糖状態を改善するために、その期間中の基礎レートを調整することもあり得たという結論に至る。
【００６０】
提示される情報のフォーマットは適宜変更することができる。例えば、図１７〜図２０に示すように、ツールは、センサデータ、インスリン送達データ、及び検出された活動事象（ＡＰＡＥ）を含むシステム関連データを、医師、医療提供者、又は患者がツールにアクセスするときに選択することができる選択された所定の時間枠（例えば、１日、過去３日間、過去７日間、過去１４日間、前月、又はカスタマイズされた範囲）を網羅する表形式で表示することができる。
【００６１】
例えば、表形式データは、患者のグルコースレベルが許容可能な範囲内（例えば、７０〜１８０ｍｇ／ｄＬ）にある時間の割合、並びにその期間にわたる平均グルコースレベルを表示して、全体的な制御を提示することができる。加えて、患者の状態が、低血糖であるのか（すなわち、例えば、グルコースレベルが５０ｍｇ／ｄＬ未満、６０ｍｇ／ｄＬ未満、又は７０ｍｇ／ｄＬ未満であった時間の割合）、又は高血糖であるのか（すなわち、例えば、グルコースレベルが１８０ｍｇ／ｄＬ超、２５０ｍｇ／ｄＬ超、又は３００ｍｇ／ｄＬであった時間の割合）に関するデータを、表形式で提示することができる。このデータを有するサンプルテーブルを図１７に示す。更に、このデータは、インスリンの平均総１日用量（total daily dose、ＴＤＤ）、並びに指定された期間（例えば、１日）の基礎量／ボーラス比として更に提示されることができる。上述の表の例を図１８に示す。
【００６２】
提示されたデータは、特定の期間中に発生した活動事象（すなわち、上述したように、低血糖又は高血糖のいずれかのＡＰＡＥ）の数を更に含むことができる。表形式データは、活動事象に関するより詳細なデータ、例えば、発生した活動事象の時間の長さ、事象中に控えた（低血糖ＡＰＡＥ）又は送達した（高血糖ＡＰＡＥ）基礎インスリンの総量、センサ（ＣＧＭ）が決定した底値（低血糖ＡＰＡＥ）又はピーク（高血糖ＡＰＡＥ）、活動事象の開始時及び活動事象の終了時にセンサが決定した値、及び他の患者データなどを、更に含むことができる。この後者データを含むサンプルテーブルは、低血糖関連活動事象に関しては図１９に、及び高血糖関連活動事象に関しては図２０に示されており、各事象は、プロトコルに従って、並びに周期的インスリン送達（例えば、５分、１時間当たり１２回送達）及びＣＧＭモニタリングに基づいて、それぞれ決定される。
【００６３】
本明細書に述べてきた、また、以下の請求項に記載される、本発明の範囲内で、他の変更及び修正が可能であることは、容易に明らかであろう。
【図１】
2019509085.tif 000003
【図２】
2019509085.tif 000004
【図３】
2019509085.tif 000005
【図４】
2019509085.tif 000006
【図５】
2019509085.tif 000007
【図６】
2019509085.tif 000008
【図７】
2019509085.tif 000009
【図８】
2019509085.tif 000010
【図９】
2019509085.tif 000011
【図１０】
2019509085.tif 000012
【図１１】
2019509085.tif 000013
【図１２】
2019509085.tif 000014
【図１３】
2019509085.tif 000015
【図１４】
2019509085.tif 000016
【図１５】
2019509085.tif 000017
【図１６】
2019509085.tif 000018
【図１７】
2019509085.tif 000019
【図１８】
2019509085.tif 000020
【図１９】
2019509085.tif 000021
【図２０】
2019509085.tif 000022
【国際調査報告】
2019509085.tif 000023